(57)【特許請求の範囲】
【請求項１】
写真焼付機本体の外周に設けられたマガジン接続口の下方における床面上にマガジン誘導ガイドを設置し、そのマガジン誘導ガイドが、スロープを一端に有し、他端が上記マガジン接続口の下方に臨む水平な底板上に上記マガジン接続口に向けて長く延びるセンタガイドと、その両側にサイドガイドとを設け、上記センタガイドの上側に一端から傾斜案内面と、その上端に連続する水平なローラ案内面とを設けた構成とされ、前記マガジン接続口に接続されるペーパマガジンの下面には、前部および後部に左右一対の接地ローラと、前部接地ローラの前側に前記サイドガイドにより案内される一対のサイドローラと、前記センタガイドの両側案内面で案内される左右一対の突出部とを設け、前記突出部の前部間および後部間に上記センタガイド上を転動可能な前部ローラおよび後部ローラを設け、前記前部ローラ及び後部ローラがセンタガイドのローラ案内面上を転動する状態で前記接地ローラのそれぞれが底板上面より浮上していることを特徴とするペーパマガジンの案内装置。
【発明の詳細な説明】
【０００１】
【発明の属する技術分野】
この発明は、写真焼付機本体の外周下部に形成されたマガジン接続口に巻径の大きいペーパロールが収納されたペーパマガジンを誘導するペーパマガジンの案内装置に関するものである。
【０００２】
【従来の技術】
一般に、ネガフィルムのネガ像を印画紙（以下、ペーパという）に焼付ける写真焼付機においては、写真焼付機本体の外周に設けられるマガジン接続口にペーパマガジンを接続し、そのペーパマガジン内に収納されているペーパロールからペーパを引き出して写真焼付機本体内の露光部に送り、その露光部において焼付処理したのち、現像部に搬送して現像処理している。
【０００３】
上記ペーパマガジンは、普通、マガジン接続口内に収納可能な大きさであるため、その内部に収納されるペーパロールの巻径、すなわち、ペーパの長さは、上記ペーパ接続口によって制約を受け、通常、二百数十ｍ程度とされている。
【０００４】
このため、同一サイズの焼付処理を多量に連続して行う場合、ペーパロールを頻繁に交換する必要が生じる。
【０００５】
そのような問題点を解決するため、ペーパ長さが五百ｍ程度の巻径の大きい太巻きのペーパロールを収納することができる大型のペーパマガジンが提案され、同一サイズのネガフィルムの多量の焼付けに際し、その大型のペーパマガジンが用いられるようになってきている。
【０００６】
【発明が解決しようとする課題】
ところで、上記大型のペーパマガジンにおいては、下面にキャスタを取付けて移動可能としているが、新しいペーパロールが収納された状態での重量は、略７０ｋｇ程度と重いため、移動時の操作性は悪く、マガジン接続口に対する接続に非常に手間がかかっていた。
【０００７】
この発明の課題は、写真焼付機本体に設けられたマガジン接続口に対して大型ペーパマガジンを簡単に精度よく接続することができるペーパマガジンの案内装置を提供することである。
【０００８】
【課題を解決するための手段】
上記の課題を解決するために、この発明においては、写真焼付機本体の外周に設けられたマガジン接続口の下方における床面上にマガジン誘導ガイドを設置し、そのマガジン誘導ガイドが、スロープを一端に有し、他端が上記マガジン接続口の下方に臨む水平な底板上に上記マガジン接続口に向けて長く延びるセンタガイドと、その両側にサイドガイドとを設け、上記センタガイドの上側に一端から傾斜案内面と、その上端に連続する水平なローラ案内面とを設けた構成とされ、前記マガジン接続口に接続されるペーパマガジンの下面には、前部および後部に左右一対の接地ローラと、前部接地ローラの前側に前記サイドガイドにより案内される一対のサイドローラと、前記センタガイドの両側案内面で案内される左右一対の突出部とを設け、前記突出部の前部間および後部間に上記センタガイド上を転動可能な前部ローラおよび後部ローラを設け、前記前部ローラ及び後部ローラがセンタガイドのローラ案内面上を転動する状態で前記接地ローラのそれぞれが底板上面より浮上している構成を採用している。
【０００９】
【発明の実施の形態】
以下、この発明の実施の形態を図面に基づいて説明する。
【００１０】
図１に示すように、写真焼付機本体１の外周下部にはマガジン接続口２が形成され、そのマガジン接続口２の下方における床面上にマガジン誘導ガイド１０が設置されている。
【００１１】
図５に示すように、マガジン誘導ガイド１０は、底板１１を有し、その底板１１は複数の高さ調整ボルト１２で支持されて水平に保持され、一端にはスロープ１３が設けられている。
【００１２】
底板１１上には、マガジン接続口２に向けて長く延びるセンタガイド１４と、その両側にサイドガイド１５とが設けられ、上記サイドガイド１５の一端部に外側方に向けて傾斜する傾斜案内板１５ａが設けられている。
【００１３】
センタガイド１４は、上面両側に帯板から成るガイドレール１６が取付けられ、そのガイドレール１６上に、一端から傾斜案内面１７と、その傾斜案内面１７の上端に連続する水平なローラ案内面１８とが設けられている。
【００１４】
また、センタガイド１４の両側には平行な案内面１９が設けられている。このセンタガイド１４とサイドガイド１５の一端部間には後述する接地ローラの方向を規制する規制ガイド２０が設けられている。
【００１５】
図６は、マガジン接続口２に接続される大型のペーパマガジン３０を示す。ペーパマガジン３０は、上記マガジン接続口２に挿入される接続ボックス３１を前側に有する。
【００１６】
また、ペーパマガジン３０は開閉自在の蓋体３２を一側に有し、内部にはロール支持軸３３が設けられている。ロール支持軸３３にはペーパロールＲが着脱自在に支持され、そのペーパロールＲから引き出されるペーパＰは接続ボックス３１の前側に設けられたペーパ出口３４から写真焼付機本体１内に繰り出される。
【００１７】
ペーパマガジン３０の上部には操作ハンドル３５が取付けられている。また、ペーパマガジン３０の下面には前部および後部に左右一対の接地ローラ３６、３７と、前部接地ローラ３６の前側に前記サイドガイド１５で案内される左右一対のサイドローラ３８とが設けられている。
【００１８】
前部接地ローラ３６を回転自在に支持するローラブラケット３６ａはペーパマガジン３０の下面に固定されている。一方、後部接地ローラ３７を回転自在に支持するローラブラケット３７ａは、ペーパマガジン３０の下面に垂直な軸心を中心として首振り自在に支持され、これらの各接地ローラ３６、３７は前記ガイドレール１６に沿って転動可能とされている。
【００１９】
また、ペーパマガジン３０の下面には、左右一対の突出部３９が設けられている。一対の突出部３９は内・外にプレート３９ａ、３９ｂを有し、内プレート３９ａの先端は外プレート３９ｂの先端より後方に位置し、その内プレート３９ａ間の間隔は前記センタガイド１４の幅寸法よりやや大きく、先端部には外方向に向けて傾斜する案内板部４０が設けられている。
【００２０】
外プレート３９ｂの先端部間には前部接地ローラ３６と略同位置に前部ローラ４１が回転自在に支持され、一方、内プレート３９ａの後端部間には後部ローラ４２が回転自在に支持されている。
【００２１】
前部ローラ４１および後部ローラ４２は同一高さに保持され、その前部ローラ４１および後部ローラ４２の外周下端は前部接地ローラ３６および後部接地ローラ３７より上方に配置され、前部ローラ４１および後部ローラ４２がセンタガイド１４のローラ案内面１８で支持される状態において、各接地ローラ３６、３７とマガジン誘導ガイド１０の底板１１上面との間に間隔が形成されるようになっている。
【００２２】
ペーパマガジンの案内装置は上記の構造から成り、ペーパマガジン３０の使用に際しては、そのペーパマガジン３０をマガジン誘導ガイド１０に沿って移動させ、先端の接続ボックス３１をマガジン接続口２に挿入する。
【００２３】
いま、手押し操作によってペーパマガジン３０を移動させ、そのペーパマガジン３０の先端部をマガジン誘導ガイド１０の底板１１上に押し込むと、前部接地ローラ３６がスロープ１３上を転動する。
【００２４】
このとき、ペーパマガジン３０の幅中心線とマガジン誘導ガイド１０の幅中心線との間にずれがあると、サイドローラ３８がサイドガイド１５の傾斜案内板１５ａによって案内される。
【００２５】
このため、ペーパマガジン３０は上記ずれが修正されつつマガジン誘導ガイド１０上を移動すると共に、前部接地ローラ３６はスロープ１３から水平な底板１１の上面両側部に沿って転動し始める。
【００２６】
ペーパマガジン３０がさらに押し込まれると、図７（Ｉ）に示すように、前部ローラ４１がセンタガイド１４のガイドレール１６に形成された傾斜案内面１７に接触し、その状態からペーパマガジン３０がさらに押し込まれると、前部ローラ４１が傾斜案内面１７上を転動する。
【００２７】
図７（II）は、前部ローラ４１が傾斜案内面１７を上りつめて、その傾斜案内面１７に続く水平なローラ案内面１８上に乗り込んだ状態を示し、その状態において、前部接地ローラ３６は底板１１上面から持ち上げられて、底板１１上面に非接触な状態とされる。
【００２８】
前部接地ローラ３６が底板１１に対して非接触の状態とされたとき、一対の突出部３９の内プレート３９ａの先端がセンタガイド１４の一端と対向し、その状態からペーパマガジン３０が押し込まれることにより、内プレート３９ａがセンタガイド１４の両側案内面１９で案内される。このため、ペーパマガジン３０がマガジン誘導ガイド１０に幅中心線に対して傾きがある場合、上記両側案内面１９に沿っての内プレート３９ａの移動によって上記傾きが修正される。
【００２９】
このとき、前部ローラ４１は一対のガイドレール１６の水平なローラ案内面１８上を転がり移動する状態であるため、ペーパマガジン３０の傾きの修正はスムーズに行われる。
【００３０】
内プレート３９ａの全体がセンタガイド１４の両側案内面１９によって案内される位置までペーパマガジン３０が押し込まれることによって、ペーパマガジン３０の傾きは完全に修正される。その修正後、後部接地ローラ３７がスロープ１３上を上り始めるときに、後部ローラ４２がセンタガイド１４のガイドレール１６に形成された傾斜案内面１７上を転動し始め、その転動によって後部接地ローラ３７は上方に持ち上げられる。
【００３１】
後部ローラ４２が傾斜案内面１７に続く水平なローラ案内面１８上に移動し始めると、後部接地ローラ３７は図４に示すように、底板１１に対して非接触の状態に保持されると共に、ペーパマガジン３０の接続ボックス３１がマガジン接続口２と正対する。
【００３２】
このため、ペーパマガジン３０をさらに押し込むことによって、接続ボックス３１はマガジン接続口２内に確実に侵入、マガジン接続口２に対してペーパマガジン３０が精度よく接続される。
【００３３】
なお、ペーパマガジン３０の接続後は、ペーパロールＲから引き出されたペーパＰを写真焼付機本体２内の露光部３に送り込んで焼付処理する。
【００３４】
【発明の効果】
以上のように、この発明においては、マガジン誘導ガイド上にペーパマガジンを押し込むことによって、サイドガイドとサイドローラとの接触によってペーパマガジンの幅中心線とマガジン誘導ガイドの幅中心線のずれが修正されると共に、センタガイドの両側案内面と突出部の接触によりペーパマガジンの傾きが修正されるため、マガジン接続口に対してペーパマガジンを精度よく、しかも簡単に接続することができる。
【００３５】
また、ペーパマガジンをマガジン誘導ガイド上に押し込むことにより、センタガイドの上側のローラ案内面に沿って前部ローラおよび後部ローラが転動すると共に、接地ローラのそれぞれが底板上面に対して非接触の状態に保持されるため、ペーパマガジンの移動負荷が軽減され、ペーパマガジンの傾き修正が容易に行われる。また、マガジン接続口にペーパマガジンを簡単に移動させることができる。
【図面の簡単な説明】
【図１】この発明に係る案内装置の概略図
【図２】同上のペーパマガジンの装着状態における断面図
【図３】図２のIII −III 線に沿った断面図
【図４】図２のIV−IV線に沿った断面図
【図５】同上のマガジン誘導ガイドを示す斜視図
【図６】同上のペーパマガジンを示す斜視図
【図７】（Ｉ）、（II）はペーパマガジンの装着途中の状態を段階的に示す断面図
【符号の説明】
１  写真焼付機本体
２  マガジン接続口
１０  マガジン誘導ガイド
１１  底板
１３  スロープ
１４  センタガイド
１５  サイドガイド
１７  傾斜案内面
１８  ローラ案内面
３０  ペーパマガジン
３６、３７  接地ローラ
３８  サイドローラ
３９  突出部
４１  前部ローラ
４２  後部ローラ
【図１】
0003716560.tif 000002
【図２】
0003716560.tif 000003
【図３】
0003716560.tif 000004
【図４】
0003716560.tif 000005
【図５】
0003716560.tif 000006
【図６】
0003716560.tif 000007
【図７】
0003716560.tif 000008